(57)【要約】【課題】目覚まし時計機能を有する携帯電話を就寝時に頭部の近傍の最適な位置に保持できるようにして、その携帯電話を目覚まし時計として効果的に利用することを可能にする枕カバーや枕を提供すること。【解決手段】就寝時に頭部の下に位置させる枕に着脱可能な枕カバー１０であって、頭部を載せる外面の該頭部の邪魔にならない近傍に、携行するのに適した寸法形状に設計されて目覚まし時計機能と振動機能を有する携帯電話１００を収容して保持する保持部２１、２２を備えており、この保持部２１は、両端部から差込可能に筒形状に、保持部２２は、抜けてしまわないように袋形状に作製した。【選択図】図１
2008194148.tif 000002
【特許請求の範囲】
【請求項１】
就寝時に頭部の下に位置させる枕に着脱可能な枕カバーであって、
頭部を載せる外面の該頭部の邪魔にならない近傍の1箇所または２箇所以上に、携行するのに適した寸法形状に設計されて少なくとも目覚まし時計機能を有する携帯電話を保持する保持構造を取り付けたことを特徴とする枕カバー。
【請求項２】
前記保持構造は、携帯電話を収納可能に一端側または両端側の開口する筒形状に形成されていることを特徴とする請求項１に記載の枕カバー。
【請求項３】
前記保持構造の筒形状の胴体部には、少なくともケーブルを引き出し可能な開口が設けられていることを特徴とする請求項２に記載の枕カバー。
【請求項４】
前記保持構造は、収納した携帯電話の外面に密接可能に伸縮材料により作製されていることを特徴とする請求項１から３のいずれかに記載の枕カバー。
【請求項５】
前記保持構造の筒形状は、電波、光および音を遮蔽することのない透過性材料により作製されていることを特徴とする請求項２から４のいずれかに記載の枕カバー。
【請求項６】
前記保持構造は、カバー本体に接合させることにより該カバー本体と共に筒形状を構成する面積材料により作製されており、
該面積材料の一隅または一側辺側あるいは両側辺側がカバー本体に着脱可能に設計されていることを特徴とする請求項２から５のいずれかに記載の枕カバー。
【請求項７】
前記保持構造は、携帯電話を締付保持する線状材料または帯状材料により作製されていることを特徴とする請求項１に記載の枕カバー。
【請求項８】
前記保持構造は、カバー本体から着脱可能に設計されていることを特徴とする請求項１から７のいずれかに記載の枕カバー。
【請求項９】
就寝時に頭部の下に位置させる枕であって、
上記請求項１から８のいずれかに記載の枕カバーの保持構造が枕本体の外被に設けられていることを特徴とする枕。
【発明の詳細な説明】
【技術分野】
【０００１】
本発明は、枕カバーおよび枕に関し、詳しくは、携帯電話を目覚まし時計として効果的に利用することを可能にするものに関する。
【背景技術】
【０００２】
近年、携行するのに適した寸法形状に設計されて移動体通信サービスを利用することのできるPersonal Handy-phone Systemを含む（以下の説明においても同様）、所謂、携帯電話が普及しており、この種の携帯電話には、例えば、目覚まし時計機能や振動機能などの多種多様な機能が組み込まれている。このため、就寝時に携帯電話を近傍においておき、目覚まし時計として利用する人も多数存在し、特に、旅行や出張などに目覚まし時計を持っていく手間を省いて、携帯電話を目覚まし時計として利用するのが便利である。
【０００３】
しかしながら、この携帯電話は、目覚まし時計機能に付随する鳴動音や振動を利用しようとしても、その鳴動音や振動は携帯電話として使用する場合の設定と同様であることから、目覚まし効果は低い。このことから、就寝時に携帯電話を近傍においても、例えば、布団の中に入ってしまったり、ベッドの下に落下してしまうなどして、設定時間の鳴動音や振動を感じることができない可能性がある。
【０００４】
このような問題が発生しないために、内部に振動装置を収容できる枕カバーを利用することも考えられるが（例えば、特許文献１参照）、この枕カバーは、頭部を乗せることができる程度の大きさの板状の振動装置を収容するように作製されている。このことから、この枕カバーでは、携帯電話が完全に内部に入ってしまって着信音や液晶表示が見えなくなるなど本来の機能を損なってしまうとともに、携帯電話が頭部の下に位置して寝難くしてしまう、という問題がある。
【０００５】
なお、目覚まし時計機能を枕に持たせようとすることは色々と工夫されてきているが、いずれも枕などの内部に組み込むものであったり、携行するのが難しい枕カバーであることから、とても出張や旅行などに利用することができないものである（例えば、特許文献２〜４参照）。
【特許文献１】特開２００５−２７９２９８号公報
【特許文献２】特開平７−３１５３４号公報
【特許文献３】特開２０００−２３５０８６号公報
【特許文献４】特開平１０−１９７６５７号公報
【発明の開示】
【発明が解決しようとする課題】
【０００６】
そこで、本発明は、目覚まし時計機能を有する携帯電話を就寝時に頭部の近傍の最適な位置に保持できるようにして、その携帯電話を目覚まし時計として効果的に利用することを可能にする枕カバーや枕を提供することを目的とする。
【課題を解決するための手段】
【０００７】
上記課題を解決する枕カバーの第１の発明は、就寝時に頭部の下に位置させる枕に着脱可能な枕カバーであって、頭部を載せる外面の該頭部の邪魔にならない近傍の1箇所または２箇所以上に、携行するのに適した寸法形状に設計されて少なくとも目覚まし時計機能を有する携帯電話を保持する保持構造を取り付けたことを特徴とするものである。
【０００８】
この発明では、目覚まし時計のように嵩張ることなく、携帯電話専用の小型の保持構造を備える軽量で携行可能な枕カバーを準備するだけで、就寝時の頭部近傍に邪魔になることなく携帯電話を保持させてセットすることができ、設定時間に目覚し時計機能による鳴動音や振動を効果的に働かせることができる。したがって、目覚まし時計を改めて準備することなく、多くの人が所持する携帯電話を自宅や出張先などで目覚まし時計として利用することができる。
【０００９】
上記課題を解決する枕カバーの第２の発明は、上記第１の発明の特定事項に加え、前記保持構造は、携帯電話を収納可能に一端側または両端側の開口する筒形状に形成されていることを特徴とするものである。
【００１０】
この発明では、端部の開口する筒形状内に携帯電話を差し込むだけで収納して保持することができ、両端部が開口している場合には、携帯電話の差込方向の制限をなくすことができるとともに、任意の方向から電源ケーブルを接続することができる。したがって、携帯電話を枕に容易にセットすることができ、携帯電話をセットするために枕の向きなどが制限されてしまうことを回避することができる。また、携帯電話を収納可能な筒形状に形成するだけなので、枕カバーと同様の布素材などで作製することができる。
【００１１】
上記課題を解決する枕カバーの第３の発明は、上記第２の発明の特定事項に加え、前記保持構造の筒形状の胴体部には、少なくともケーブルを引き出し可能な開口が設けられていることを特徴とするものである。
【００１２】
この発明では、例えば、携帯電話の側面に配設されているコネクタでも電源ケーブルを無理なく接続することができ、携帯電話の差込方向だけでなく、電源ケーブルによる携帯電話の収納方向（向き）の制限をなくすことができる。したがって、多種多様な携帯電話を枕にセットすることができる。
【００１３】
上記課題を解決する枕カバーの第４の発明は、上記第１から第３のいずれかの発明の特定事項に加え、前記保持構造は、収納した携帯電話の外面に密接可能に伸縮材料により作製されていることを特徴とするものである。
【００１４】
この発明では、小型の携帯電話でもその外面に密接した状態で保持することができる。したがって、多少サイズの異なる携帯電話でも安定した状態で枕にセットすることができる。
【００１５】
上記課題を解決する枕カバーの第５の発明は、上記第２から第４のいずれかの発明の特定事項に加え、前記保持構造の筒形状は、電波、光および音を遮蔽することのない透過性材料により作製されていることを特徴とするものである。
【００１６】
この発明では、携帯電話を筒形状内に収納しても、携帯電話の通信機能、表示出力機能、音声出力機能を損なうことがなく、枕にセットした状態でも利用することができる。したがって、枕にセットした携帯電話でも通常通りに受信することができ、各種表示をそのまま視認し、また、着信などを音で知らせることができる。
【００１７】
上記課題を解決する枕カバーの第６の発明は、上記第２から第５のいずれかの発明の特定事項に加え、前記保持構造は、カバー本体に接合させることにより該カバー本体と共に筒形状を構成する面積材料により作製されており、該面積材料の一隅または一側辺側あるいは両側辺側がカバー本体に着脱可能に設計されていることを特徴とするものである。
【００１８】
この発明では、面積材料の一隅または一側辺側をカバー本体から外すことにより筒形状の内部を開放して携帯電話をその筒形状内に容易に位置させることができ、その一隅または一側辺をカバー本体に接合させた状態に戻すことによりその筒形状内に差し込んだ状態にして収納することができる。したがって、携帯電話をより容易に枕にセットすることができる。
【００１９】
上記課題を解決する枕カバーの第７の発明は、上記第１の発明の特定事項に加え、前記保持構造は、携帯電話を締付保持する線状材料または帯状材料により作製されていることを特徴とするものである。
【００２０】
この発明では、携帯電話を線状材料や帯状材料などで締め付ける状態にして保持することができる。したがって、多少サイズの異なる携帯電話でも安定した状態で枕にセットすることができ、その線状材料や帯状材料の間から電源ケーブルを携帯電話に接続することができ、その携帯電話の通信機能、表示出力機能、音声出力機能を損なうこともなく通常通りに利用することができる。
【００２１】
上記課題を解決する枕カバーの第８の発明は、上記第１から第７のいずれかの発明の特定事項に加え、前記保持構造は、カバー本体から着脱可能に設計されていることを特徴とするものである。
【００２２】
この発明では、枕カバーに保持構造を必要に応じて着脱することができる。したがって、不必要に枕カバーの外面に保持構造が存在して邪魔になってしまうことを回避することができる。
【００２３】
上記課題を解決する枕の第１の発明は、就寝時に頭部の下に位置させる枕であって、上記第１から第８のいずれかの発明の枕カバーの保持構造が枕本体の外被に設けられていることを特徴とするものである。
【００２４】
この発明では、枕カバーの必要ない枕でも、上記枕カバーを利用した場合と同様の作用効果を得ることができる。したがって、自宅で利用する枕カバーのない枕でも、携帯電話を目覚まし時計として有効に利用することができる。
【発明の効果】
【００２５】
このように本発明によれば、就寝時の頭部近傍で設定時間に鳴動音や振動を効果的に働かせて設定時間に信頼性高く利用者を目覚めさせることができ、目覚まし時計を改めて準備することなく、多くの人が所持する携帯電話を目覚まし時計として効果的に利用することができる。特に、枕カバーの場合には、嵩張ることなく出張先や旅行先に携行することができ、携帯電話を目覚まし時計として有効利用することができる。
【発明を実施するための最良の形態】
【００２６】
以下、本発明の最良の実施形態を図面に基づいて説明する。図１〜図７は本発明に係る枕カバーの第１実施形態を示す図である。
【００２７】
図１において、枕カバー１０は、一般的な一人用の大きさの枕に巻き掛けて使用するものであり、その枕の幅程度でその外周長以上のサイズに布材料を裁断・縫製することにより作製されているカバー本体１１と、このカバー本体１１の一端辺で所望の間隔になるように一端側が縫い付けられている紐材料１２と、この紐材料１２と同様の間隔になるようにカバー本体１１の他端側内方に一端側が縫い付けられている紐材料１３と、を備えている。この枕カバー１０は、折り畳むことにより軽量コンパクトな状態にして旅行先や出張先などに容易に携行することができ、図２に示すように、その枕にカバー本体１１を巻き付けて紐材料１２、１３を結ぶことにより覆う状態にして旅行先や出張先などで使用することができる。なお、枕カバー１０では、カバー本体１１を枕に巻き掛けた状態に維持する手段として紐材料１２、１３を用いているが、これに限るものでなく、例えば、面ファスナーのフック状部材とループ状部材を互いに係合させてもよく、また、カバー本体１１を一般的な枕を収容可能な袋形状に作製してもよいことは言うまでもない。
【００２８】
この枕カバー１０は、図３および図４に示す携帯電話１００を収納可能な構造に設計されている保持部２１、２２と、その携帯電話１００に接続する電源ケーブル１１０（図７を参照）を係止する係止部２６、２７と、が枕に載せる頭部の邪魔にならないようにカバー本体１１に設置されている。
【００２９】
保持部２１は、図５に示すように、枕カバー１０を巻き付けた状態の枕に頭部を載せたときに上方に位置するようにカバー本体１１に設置されており、この保持部２１は、携帯電話１００を収納可能な寸法形状に、電波の伝播を妨げることのない布材料を裁断・縫製して、その長尺側両側辺をカバー本体１１に縫い糸２４により縫い付けることにより、その左右に位置する短尺側の両端部に開口２１ａを形成する筒形状に作製されている。
【００３０】
保持部２２は、その保持部２１の左右（頭部の右斜め上方、左斜め上方）の２箇所に位置するようにカバー本体１１にそれぞれ設置されており、この保持部２２は、保持部２１と同一寸法形状に布材料を裁断・縫製して、その一端側の短尺側側辺と長尺側両側辺をカバー本体１１に縫い糸２４により縫い付けることにより、その頭部側となる短尺側の他端部に開口２２ａを形成する袋形状に作製されている。
【００３１】
また、この保持部２１、２２は、長尺側の側辺中央の縫い糸２４による縫い付けをスキップさせることにより、電源ケーブル１１０の不図示のコネクタを通すことができる程度の大きさの開口２１ｂ、２２ｂが形成されている。
【００３２】
係止部２６は、保持部２１の開口２１ａの開口方向に一致するカバー本体１１の側辺近傍に、また、係止部２７は、保持部２２の開口２２ａ近傍のカバー本体１１の側辺近傍に設置されており、この係止部２６、２７は、電源ケーブル１１０の不図示のコネクタを通すことができる程度の大きさのループ形状になるように紐材料を縫い付けることにより作製されている。なお、ここでは、係止部２６、２７の両端側をカバー本体１１に縫い付けているが、その一端側を面ファスナーやボタンなどによりカバー本体１１に着脱可能にすることにより、ループ形状内を開放した状態にして電源ケーブル１１０をセットできるようにしてもよい。
【００３３】
ここで、携帯電話１００は、図３に示すように、操作部１０１を備える本体部１０２と、各種情報を液晶面１０３に表示出力する表示部１０４とがヒンジ部１０５により開閉可能に連結されており、この携帯電話１００は、図４に示すように、表示部１０４の液晶面１０３が外面となる状態にしても開閉することができるように設計されている。また、この携帯電話１００は、着信を知らせる鳴動機能や振動機能を伴う通話機能の他に、目覚まし時計機能を備えており、目覚まし時計の設定時間に鳴動音をヒンジ部１０５に埋め込まれているスピーカ（音声出力部）１０６から出力するのと同時に振動させるように設定することができる。
【００３４】
したがって、この枕カバー１０は、布材料のカバー本体１１を折り畳むことにより軽量コンパクトにして容易に旅行や出張先に携行することができ、図２に示すように、枕を覆う状態にして使用するのと同時に、図６に示すように、目覚まし時計として利用する携帯電話１００を保持部２１、２２内に開口２１ａ、２２ａから差し込んで収納保持させてセットすることができる。
【００３５】
このとき、携帯電話１００は、筒形状の保持部２１には左右のいずれの開口２１ａからも内部に差し込むだけで容易に収納して保持させることができ、また、袋形状の保持部２２には内方側の開口２２ａから内部に差し込むだけで容易に収納してそのまま下方に抜けてしまわないように保持させることができる。
【００３６】
この結果、携帯電話１００は、目覚まし時刻として設定されている時間になったとき、頭部の近傍で鳴動音をスピーカ１０６から出力させて刺激を与えることにより効果的に目覚めさせることができるとともに、振動機能が選択されている際には頭部の近傍から振動を伝達させて刺激を与えることにより効果的に目覚めさせることができ、仮眠室などのように鳴動音を出力させることができないような場合には鳴動音を鳴らすことなく振動機能により目覚めさせることができる。このとき、携帯電話１００は、保持部２１、２２に収納保持されることにより、枕の下や布団の下などになってしまって鳴動音の出力が妨げられることなく、その保持部２１、２２の薄い布材料を介して鳴動音を出力することができる。
【００３７】
さらに、この携帯電話１００は、枕カバー１０の保持部２１に収納させた場合には、図７（ａ）に示すように（使用箇所のみ図示、他の図も同様）、本体部１０２の下端部のコネクタ１０２ａに接続する電源ケーブル１１０をその保持部２１の両端側の開口２１ａの一方から引き出すとともに、その電源ケーブル１１０を係止部２６に通して無理なく安定した状態で使用することができる。また、携帯電話１００は、図７（ｂ）に示すように、そのコネクタが側面側に配設されている場合でも電源ケーブル１１０をその保持部２１の側辺側の開口２１ｂから引き出すとともに、その電源ケーブル１１０を係止部２６に通して無理なく安定した状態で使用することもできる。
【００３８】
また、この携帯電話１００は、枕カバー１０の保持部２２に収納させた場合には、図７（ｃ）に示すように、本体部１０２の下端部のコネクタ１０２ａに接続する電源ケーブル１１０をその保持部２２の一端側の開口２２ａから引き出すとともに、その電源ケーブル１１０を係止部２７に通して無理なく安定した状態で使用することができる。また、携帯電話１００は、図７（ｄ）に示すように、そのコネクタが側面側に配設されている場合でも電源ケーブル１１０をその保持部２２の側辺側の開口２２ｂから引き出すとともに、その電源ケーブル１１０を係止部２６に通して無理なく安定した状態で使用することもできる。
【００３９】
このように本実施形態においては、枕カバー１０を折り畳んで嵩張ることなく、旅行や出張先に携行することができる。したがって、携帯電話１００とは別に目覚まし時計を準備して携行することなく、その携帯電話１００を目覚まし時計として効果的に有効利用することができる。
【００４０】
ここで、本実施形態の他の態様としては、図示することは省略するが、保持部２１、２２を布材料ではなく、光などを透過可能な他の透過性材料、例えば、透明な軟質ビニールなどとしてもよい。この場合には、後述する実施形態で説明するように、内部に収納セットした携帯電話１００の表示部１０４の液晶面１０３の表示出力をそのまま視認することができ、着信などを確認することができる。
【００４１】
次に、図８は本発明に係る枕カバーの第２実施形態を示す図である。なお、本実施形態は、上述実施形態と略同様に構成されていることから、同様な構成には同一の符号を付して特徴部分を説明する（以下で説明する他の実施形態においても同様）。
【００４２】
図８において、枕カバー１０のカバー本体１１は、上述第１実施形態における保持部２１、２２に代えて、保持部３１が同一位置に縫い付けるなどして設置されており、この保持部３１は、携帯電話１００を収納可能な寸法形状に設計されている。
【００４３】
保持部３１は、電波の伝播を妨げることがなく、また、光を網目から透過して視認可能なゴム網材料（伸縮材料、透過性材料）３１ｎにより作製されており、長尺側両側辺をカバー本体１１に縫い糸２４により縫い付けることにより、短尺側の両端部に開口３１ａを形成する筒形状に作製されている。また、この保持部３１は、長尺側の側辺中央の縫い糸２４による縫い付けをスキップさせることにより、電源ケーブル１１０の不図示のコネクタを通すことができる程度の大きさの開口３１ｂが形成されている。
【００４４】
ここで、この保持部３１は、ゴム網材料３１ｎからなる筒形状に形成されてカバー本体１１に縫い付けられているので、両端部の開口３１ａの一方をゴム網材料３１ｎの弾性力を利用して広げた状態にすることにより携帯電話１００を差し込んで内部に収納セットすることができ、多少のサイズの異なるものでもゴム網材料３１ｎの弾性力により携帯電話１００の外面に密接して安定した状態で保持することができる。また、この保持部３１は、その開口３１ａがゴム網材料３１ｎの弾性力により弾性復帰して閉じた状態になることから、上述実施形態における保持部２２に位置する箇所に携帯電話１００を収納セットした場合でも脱落してしまうことなく保持することができる。
【００４５】
したがって、携帯電話１００は、筒形状の保持部３１の左右のいずれの開口３１ａからも内部に差し込むだけで容易に収納して保持させることができ、必要に応じて本体部１０２の下端部のコネクタ１０２ａに接続する電源ケーブル１１０をその保持部３１の開口３１ａ、３１ｂから引き出して係止部２６、２７に通すことができる。そして、この携帯電話１００は、目覚まし時刻として設定されている時間になったときには、頭部の近傍で鳴動音をスピーカ１０６から出力させたり、頭部の近傍から振動を伝達させるなどして効果的に目覚めさせることができるともに、この保持部３１は、ゴム網材料３１ｎにより作製されているので、布素材よりも鳴動音を外部に減衰なく出力することができるのに加えて、そのゴム網材料３１ｎを介して表示部１０４の液晶面１０３の表示出力を内部に収納した状態のまま視認することができ、着信などを確認することができる。
【００４６】
このように本実施形態においては、上述第１実施形態による作用効果に加えて、ゴム網材料３１ｎを筒形状に形成した保持部３１により、内部に収納セットした携帯電話１００を多少サイズが異なる機種であっても安定した状態で保持することができ、携帯電話１００が保持部３１内で動いて気になってしまうことを回避することができる。
【００４７】
次に、図９は本発明に係る枕カバーの第３実施形態を示す図である。
図９において、枕カバー１０のカバー本体１１は、上述第２実施形態における保持部３１に代えて、保持部４１が同一位置に縫い付けるなどして設置されており、この保持部４１は、携帯電話１００を収納可能な寸法形状に設計されている。
【００４８】
保持部４１は、ゴム紐材料（伸縮材料、線状材料）４１ｓの複数本を、閉じた状態の携帯電話１００を締め付けるようにカバー本体１１に縫い付けるなどして設置されており、そのゴム紐材料４１ｓ間から電波の伝播を妨げることがなく、また、光を透過して表示などを視認することができる。
【００４９】
ここで、この保持部４１では、全体としては筒形状に形成されているが、実質的には、短尺側の両端部の開口４１ａ以外でもそのゴム紐材料４１ｓ間を広げることにより携帯電話１００を内部に差し込むことができるとともに、そのゴム紐材料４１ｓ間を電源ケーブル１１０の不図示のコネクタを通すことの可能な開口４１ｂとして機能させることができる。
【００５０】
また、この保持部４１は、上述第２実施形態における保持部３１のゴム網材料３１ｎと同様に、ゴム紐材料４１ｓの弾性力を利用して携帯電話１００を内部に収納セットしたときには、多少のサイズの異なるものでもそのゴム紐材料４１ｓの弾性力により携帯電話１００の外面を締め付けて安定した状態で脱落させてしまうことなく保持することができる。
【００５１】
したがって、携帯電話１００は、保持部４１のゴム紐材料４１ｓを弾性変形させて内部に差し込むだけで容易に収納して保持させることができ、必要に応じて本体部１０２の下端部のコネクタ１０２ａに接続する電源ケーブル１１０をその保持部４１の開口４１ａやゴム紐材料４１ｓ間の開口４１ｂから引き出して係止部２６、２７に通すことができる。そして、この携帯電話１００は、目覚まし時刻として設定されている時間になったときには、頭部の近傍で鳴動音をスピーカ１０６から出力させたり、頭部の近傍から振動を伝達させるなどして効果的に目覚めさせることができるともに、この保持部４１は、複数本のゴム紐材料４１ｓにより作製されているので、布素材よりも鳴動音を外部に減衰なく出力することができるのに加えて、そのゴム紐材料４１ｓ間を介して表示部１０４の液晶面１０３の表示出力を内部に収納した状態のまま視認することができ、着信などを確認することができる。
【００５２】
このように本実施形態においては、上述第２実施形態による作用効果に加えて、ゴム紐材料４１ｓの間から携帯電話１００を収納セットしたり、電源ケーブル１１０を引き出すことができ、より容易に利用することができる。
【００５３】
次に、図１０は本発明に係る枕カバーの第４実施形態を示す図である。
図１０において、枕カバー１０のカバー本体１１は、上述第３実施形態における保持部４１に代えて、保持部５１が同一位置に縫い付けるなどして設置されており、この保持部５１は、携帯電話１００を収納可能な寸法形状に設計されている。
【００５４】
保持部５１は、ベルト（帯状材料）５２の複数本を、閉じた状態の携帯電話１００を締め付けることができるように、カバー本体１１に縫い付けるなどして設置されており、そのベルト５２間から電波の伝播を妨げることがなく、また、光を透過して表示などを視認することができる。ここで、このベルト５２は、一般的な構造に作製されており、バックル５２ｂ、ベルト穴５２ｈ、爪５２ｔおよび押さえループ５２ｒを備えて構成されている。なお、ここでは、バックル５２ｂなどを備えるベルト５２により保持部５１を構成する場合を一例にして説明するが、これに限るものではなく、他の構造によりサイズ調整可能なベルトにより保持部５１を構成してもよいことは言うまでもない。
【００５５】
ここで、この保持部５１では、全体としては筒形状に形成されているが、実質的には、短尺側の両端部に開口５１ａ以外でもその内方のベルト５２を外すことにより携帯電話１００を内部に差し込むことができるとともに、そのベルト５２間を電源ケーブル１１０の不図示のコネクタを通すことができる開口５１ｂとして機能させることができる。
【００５６】
また、この保持部５１は、上述第３実施形態における保持部４１のゴム紐材料４１ｓと同様に、携帯電話１００を多少のサイズの異なるものでもベルト５２により締め付けることにより安定した状態で脱落させてしまうことなく保持することができる。
【００５７】
したがって、携帯電話１００は、保持部５１のベルト５２を調節して内部に差し込むだけで容易に収納して保持させることができ、必要に応じて本体部１０２の下端部のコネクタ１０２ａに接続する電源ケーブル１１０をその保持部５１の開口５１ａやベルト５２間の開口５１ｂから引き出して係止部２６、２７に通すことができる。そして、この携帯電話１００は、目覚まし時刻として設定されている時間になったときには、頭部の近傍で鳴動音をスピーカ１０６から出力させたり、頭部の近傍から振動を伝達させるなどして効果的に目覚めさせることができるともに、この保持部５１は、複数本のベルト５２により作製されているので、布素材よりも鳴動音を外部に減衰なく出力することができるとともに、そのベルト５２間を介して表示部１０４の液晶面１０３の表示出力を内部に収納した状態のまま視認することができ、着信などを確認することができる。
【００５８】
このように本実施形態においては、上述第３実施形態による作用効果と同様に、ベルト５２の間から携帯電話１００を収納セットしたり、電源ケーブル１１０を引き出すことができ、より容易に利用することができる。
【００５９】
次に、図１１は本発明に係る枕カバーの第５実施形態を示す図である。
図１１において、枕カバー１０のカバー本体１１は、上述第１実施形態と同様に、紐材料１２、１３、保持部２１、２２および係止部２６、２７が設置されており、本実施形態の保持部２１、２２は、カバー本体１１とは別に単体で筒形状や袋形状に作製されて、面ファスナー６２を介してカバー本体１１に設置されている。これにより、この保持部２１、２２は、面ファスナー６２のフック状部材とループ状部材とを互いに係合・離脱させることにより、カバー本体１１に着脱させることができる。
【００６０】
したがって、この枕カバー１０は、携帯電話１００を目覚まし時計として利用するか否かに応じて保持部２１、２２を着脱することができ、邪魔になってしまうことを回避することができる。
【００６１】
このように本実施形態においては、上述第１実施形態による作用効果に加えて、必要に応じて保持部２１、２２を着脱することができ、使用する保持部２１、２２のいずれかのみをカバー本体１１に装着したり、あるいは、全体を取り外した状態で枕カバー１０を利用することができる。したがって、不必要な保持部２１、２２が存在して睡眠の妨げになってしまうことがない。
【００６２】
次に、図１２は本発明に係る枕カバーの第６実施形態を示す図である。
図１２において、枕カバー１０のカバー本体１１は、上述第１実施形態における保持部２１、２２に代えて、保持部７１が同一位置に布素材を面ファスナー７８ａ〜７８ｄを介して設置されており、この保持部７１は、携帯電話１００を収納可能な寸法形状に設計されている。これにより、この保持部７１は、面ファスナー７８ａ〜７８ｄのフック状部材とループ状部材とを互いに係合・離脱させることにより、カバー本体１１に着脱させることができる。
【００６３】
保持部７１は、上述第１実施形態における保持部２１、２２と同一面積で同一形状に形成されたゴム布材料（面積材料、伸縮材料）７２と、このゴム布材料７２の内方に四角形状で開口するように形成された露出穴７２ａを閉じるように固設されているゴム網材料（伸縮材料、透過性材料）７３と、により作製されており、面ファスナー７８ａ〜７８ｄのフック状部材またはループ状部材の一方がゴム布材料７２の四隅に縫い付けられているとともに、カバー本体１１の対応する位置に面ファスナー７８ａ〜７８ｄのフック状部材またはループ状部材の他方が縫い付けられている。
【００６４】
ここで、保持部７１のゴム布材料７２とゴム網材料７３は、上述第２実施形態における保持部３１のゴム網材料３１ｎと同様に伸縮可能であり、そのうちのゴム網材料７３は、電波の伝播を妨げることがなく、また、光を網目から透過して内部を視認することができる。
【００６５】
これにより、保持部７１は、一隅または同一辺側２箇所の面ファスナー７８ａ〜７８ｄのフック状部材とループ状部材の係合を外すことにより携帯電話１００の収納空間を大きく開放してセットすることができ、この後に、面ファスナー７８ａ〜７８ｄのうちのフック状部材とループ状部材の係合を外した箇所を再度係合させることによりカバー本体１１にしっかりと接合させた状態にすることができる。なお、全ての面ファスナーを外しても良いが、本実施形態のように一隅または同一辺側２箇所を外すのが容易に再度係合させることができ、携帯電話１００を保持部７１内に容易に収納することができる。
【００６６】
この状態では、保持部７１は、多少のサイズの異なる携帯電話１００でもゴム布材料７２やゴム網材料７３の弾性力によりその外面に密接して安定した状態（脱落させてしまうようなことのない状態）で保持することができるとともに、その面ファスナー７８ａ〜７８ｄの間はカバー本体１１に接合されておらず両端側の開口７１ａや側辺側の開口７１ｂとして機能することから、必要に応じて携帯電話１００の本体部１０２の下端部のコネクタ１０２ａに接続する電源ケーブル１１０をその開口３１ａ、３１ｂから引き出して係止部２６、２７に通すことができる。
【００６７】
そして、携帯電話１００に目覚まし時刻として設定されている時間になったときには、頭部の近傍で鳴動音をスピーカ１０６から出力させたり、頭部の近傍から振動を伝達させるなどして効果的に目覚めさせることができるともに、この保持部７１は、ゴム網材料７３により携帯電話１００の大部分を露出させているので、全体が布素材の場合よりも鳴動音を外部に減衰なく出力することができるのに加えて、そのゴム網材料７３を介して表示部１０４の液晶面１０３の表示出力を内部に収納した状態のまま視認することができ、着信などを確認することができる。
【００６８】
このように本実施形態においては、上述第１、２実施形態による作用効果に加えて、面ファスナー７８ａ〜７８ｄを着脱することにより保持部７１内の収納空間を大きく開放して携帯電話１００を容易に収納セットすることができる。
【００６９】
ここで、本実施形態の他の態様としては、図示することは省略するが、面ファスナーを保持部７１（ゴム布材料７２）の四隅に設置するのではなく、携帯電話１００をセットし易い側の一隅または同一辺側２箇所のみに設置しても良いことは言うまでもない。この場合にも、本実施形態と略同様の作用効果を得ることができる。
【００７０】
また、上述実施形態の他の態様としては、図示することは省略するが、枕カバー１０に保持部２１〜７１を設置するのではなく、枕の外被自体に直接保持部２１〜７１を設置して一体化しても良い。この場合にも、上述実施形態による作用効果を得ることができ、自宅で利用する枕カバーのない枕でも、携帯電話１００を目覚まし時計として有効に利用することができる。
【産業上の利用可能性】
【００７１】
これまで本発明の一実施形態について説明したが、本発明は上述の実施形態に限定されず、その技術的思想の範囲内において種々異なる形態にて実施されてよいことは言うまでもない。
【図面の簡単な説明】
【００７２】
【図１】本発明に係る枕カバーの第１実施形態を示す図であり、その概略全体構成を示す平面図である。
【図２】その使用時の状態を示す図であり、（ａ）は表面側を示す平面図、（ｂ）はその底面側を示す平面図である。
【図３】その枕カバーにセットする携帯電話の一例を示す開いた状態の斜視図である。
【図４】その携帯電話の閉じた状態を示す平面図である。
【図５】その要部構成を示す拡大平面図である。
【図６】その利用を説明する図であり、（ａ）はその中央に携帯電話をセットする場合を示す平面図、（ｂ）はその横に携帯電話をセットする場合を示す平面図である。
【図７】その携帯電話に電源ケーブルを接続する場合を説明する図であり、（ａ）と（ｂ）は中央に携帯電話をセットして異なる箇所に電源ケーブルを接続する場合を示す平面図、（ｃ）と（ｄ）は横に携帯電話をセットして異なる箇所に電源ケーブルを接続する場合を示す平面図である。
【図８】本発明に係る枕カバーの第２実施形態を示す図であり、その要部構成を示す拡大平面図である。
【図９】本発明に係る枕カバーの第３実施形態を示す図であり、その要部構成を示す拡大平面図である。
【図１０】本発明に係る枕カバーの第４実施形態を示す図であり、その要部構成を示す拡大平面図である。
【図１１】本発明に係る枕カバーの第５実施形態を示す図であり、その要部構成を示す拡大平面図である。
【図１２】本発明に係る枕カバーの第６実施形態を示す図であり、その要部構成を示す拡大平面図である。
【符号の説明】
【００７３】
１０……枕カバー    １１……カバー本体    １２、１３……紐材料    ２１、２２、３１、４１、５１、７１……保持部    ２１ａ、２１ｂ、２２ａ、２２ｂ、３１ａ、３１ｂ、４１ａ、４１ｂ、５１ａ、５１ｂ、７１ａ、７１ｂ……開口    ２４……縫い糸    ２６、２７……係止部    ３１ｎ、７３……ゴム網材料    ４１ｓ……ゴム紐材料    ５２……ベルト    ６２、７８……面ファスナー    ７２……ゴム布材料    １００……携帯電話    １０１……操作部    １０２……本体部    １０２ａ……コネクタ    １０３……液晶面    １０４……表示部    １０５……ヒンジ部    １０６……スピーカ    １１０……電源ケーブル
【図１】
2008194148.tif 000003
【図２】
2008194148.tif 000004
【図３】
2008194148.tif 000005
【図４】
2008194148.tif 000006
【図５】
2008194148.tif 000007
【図６】
2008194148.tif 000008
【図７】
2008194148.tif 000009
【図８】
2008194148.tif 000010
【図９】
2008194148.tif 000011
【図１０】
2008194148.tif 000012
【図１１】
2008194148.tif 000013
【図１２】
2008194148.tif 000014